(57)【要約】【課題】、翻訳機能を利用する際に、会話する二者間で携帯電話を移動する必要が無く、ノイズが入りにくくて収音をクリアにでき、音声リアルタイム翻訳機能を増進する携帯電話を提供すること。【解決手段】音声リアルタイム翻訳機能を備え、正面及び背面にそれぞれ単一指向性ＭＥＭＳマイクロホンを設置してある。正面の単一指向性ＭＥＭＳマイクロホンに短距離収音型を採用し、背面の単一指向性ＭＥＭＳマイクロホンに長距離収音型を採用するのが望ましい。【選択図】図２
2019062513.tif 000002
【特許請求の範囲】
【請求項１】
音声リアルタイム翻訳機能を備え、正面及び背面にそれぞれ単一指向性ＭＥＭＳマイクロホンを設置したことを特徴とする、携帯電話。
【請求項２】
正面の前記単一指向性ＭＥＭＳマイクロホンに短距離収音型を採用し、背面の前記単一指向性ＭＥＭＳマイクロホンに長距離収音型を採用したことを特徴とする、請求項１に記載の携帯電話。
【発明の詳細な説明】
【技術分野】
【０００１】
本発明は、音声リアルタイム翻訳ソフトウェアを組み合わせ、会話相手との交流を円滑にすることができる携帯電話に関する。
【背景技術】
【０００２】
スマートフォンとそのアプリケーションソフトウェアの急速な発展に伴い、携帯電話に用いるモバイル設備の市場発展性と創造潜在性が注目されるようになった。
携帯電話に関し、多くの周辺製品が生み出されているが、携帯電話の音声リアルタイム翻訳に運用するマイクロホン分野は速やかな開発が待たれている。
【０００３】
携帯電話自体に内蔵されたマイクロホンとしては、多方面のニーズを満たすため、ほとんどが全指向性マイクロホンを採用している。この全指向性マイクロホンは騒音が多い環境で使用すると、ノイズキャンセル機能と収音距離に限界があり、こういった環境で会話する二人の間に社交的距離を保ちながら音声リアルタイム翻訳機能を円滑に使用することは困難である。
一方、単一指向性ＭＥＭＳマイクロホンは、その収音が前方の小さな区域範囲に限られ、その小さな区域範囲外の環境騒音を回避することができる。
【０００４】
さらに、一般的な携帯電話は個人使用向けであるため、スピーカーの音量を大きくする必要がないが、音声リアルタイム翻訳機能を備えた携帯電話は、会話する２人の間で使用され、２人の間には距離があるので、当初設定されているスピーカーの音量では使用者のニーズに対応できない。
このため、会話する人に対する収音距離を長くするとともに、携帯電話内のスピーカー音量を大きくすることで、実際の応用に合わせる必要がある。
【発明の概要】
【発明が解決しようとする課題】
【０００５】
本発明が解決しようとする課題は、翻訳機能を利用する際に、会話する二者間で携帯電話を移動する必要が無く、ノイズが入りにくくて収音をクリアにでき、音声リアルタイム翻訳機能を増進する携帯電話を提供することにある。
【課題を解決するための手段】
【０００６】
本発明の携帯電話は、音声リアルタイム翻訳機能を備え、正面及び背面にそれぞれ単一指向性ＭＥＭＳマイクロホンを設置してある。
正面の前記単一指向性ＭＥＭＳマイクロホンに短距離収音型を採用し、背面の前記単一指向性ＭＥＭＳマイクロホンに長距離収音型を採用するのが望ましい。
【発明の効果】
【０００７】
本発明の携帯電話は、正面と背面にそれぞれ単一指向性ＭＥＭＳマイクロホンを設けたので、携帯電話を持つ使用者が正面に向かって、異なる言語を話す会話相手が背面に向かって、二者間で絶えず携帯電話を移動することなく、翻訳機能を利用しながら会話しやすく、しかも、必要な範囲外の騒音を回避し、音声リアルタイム翻訳時の収音をよりクリアかつ円滑にすることができる。
正面の前記単一指向性ＭＥＭＳマイクロホンに短距離収音型を採用し、背面の前記単一指向性ＭＥＭＳマイクロホンに長距離収音型を採用すれば、携帯電話を持って正面に向いて話す人の声も、背面に向いて話す会話相手の声も確実に収音できる。
【図面の簡単な説明】
【０００８】
【図１】本発明の実施例を示す携帯電話の斜視図である。
【図２】本発明の実施例を示す携帯電話の分解斜視図である。
【図３】本発明の実施例を示す携帯電話の別角度から視た分解斜視図である。
【図４】出力信号がアナログ信号である携帯電話の回路ブロック図である。
【図５】出力信号がデジタル信号である携帯電話の回路ブロック図である。
【発明を実施するための形態】
【０００９】
以下、本発明の実施例を図面に基づいて詳細に説明する。
図１、図２、図３に示すように、本発明の携帯電話００は、音声リアルタイム翻訳機能を備え、携帯電話正面カバー１０と、携帯電話背面カバー２０と、ＰＣＢアセンブリ３０と、携帯電話バッテリー４０を含む。
【００１０】
携帯電話正面カバー１０は、携帯電話に通常設けられているフロントカメラ及び携帯電話受話器等の孔のほか、さらに１組の短距離単一指向性ＭＥＭＳマイクロホンの収音孔１１が増設される。この収音孔１１は、音声リアルタイム翻訳時に携帯電話を持つ人の音声をはっきりと拾うことを目的としている。
携帯電話背面カバー２０は、携帯電話に通常設けられているリアカメラ及びフラッシュライト等の孔のほか、さらに１組の長距単一指向性ＭＥＭＳマイクロホンの収音孔２１が増設される。収音孔２１は、音声リアルタイム翻訳時に会話相手の音声をはっきりと拾うことを目的としている。
【００１１】
ＰＣＢアセンブリ３０は、携帯電話に通常設けられている電子素子が設置されているほか、さらに短距離単一指向性ＭＥＭＳマイクロホンＰ１と、長距単一指向性ＭＥＭＳマイクロホンＰ２が増設される。
携帯電話００の音声リアルタイム翻訳機能を利用する時は、専用の翻訳アプリケーションを起動し、携帯電話００を持つ人が正面を使用し、会話相手が背面を使用する。
音声リアルタイム翻訳の実行時、携帯電話００のスピーカーの音量を大きくして使用することで、会話相手との間に社交的マナーに沿った距離を保ちながら、翻訳時の音声をはっきりさせ、リアルタイム音声翻訳の正確性を達成し、円滑に交流することができる。
【００１２】
図４と図５に示すように、本発明の携帯電話００は、２つのＭＥＭＳ（微小電気機械システム）マイクロホン、アナログデジタル変換器（ＡＤＣ）及びマイクロプロセッサ／デジタルシグナルプロセッサ（ＣＰＵ／ＤＳＰ）を備える。アナログ信号を出力する携帯電話００は、さらにデジタルアナログ変換器を備える（図４）。
２つのマイクロホンの信号がアナログデジタル変換器（ＡＤＣ）によりデジタル信号に変換されてマイクロプロセッサ（ＣＰＵ）に入力される。マイクロプロセッサ（ＣＰＵ）は信号処理ユニット（ＤＳＰ）を備え、信号中の環境ノイズを除去し、高品質の信号を得て出力することができる。この出力信号は、図４に示すように、デジタルアナログ変換器を介してアナログ信号とするか、または、図５に示すようにデジタル信号に設定することができ、具体的には携帯端末によって決まる。
【００１３】
以上は本発明の実施例の説明であり、本発明の権利範囲を制限するものではなく、特許請求の範囲を逸脱しない修飾や変更は、すべて本発明の権利範囲に含まれる。
【符号の説明】
【００１４】
００      携帯電話
１０      携帯電話正面カバー
１１      短距離単一指向性ＭＥＭＳマイクロホンの収音孔
２０      携帯電話背面カバー
２１      長距離単一指向性ＭＥＭＳマイクロホンの収音孔
３０      ＰＣＢアセンブリ
Ｐ１      短距離単一指向性ＭＥＭＳマイクロホン
Ｐ２      長距離単一指向性ＭＥＭＳマイクロホン
４０      携帯電話バッテリー
【図１】
2019062513.tif 000003
【図２】
2019062513.tif 000004
【図３】
2019062513.tif 000005
【図４】
2019062513.tif 000006
【図５】
2019062513.tif 000007